(57)【要約】【課題】容器回収部に隣接配置する減容手段に空容器の口部をあてがうと自動的に吸引力で容器が収縮減容でき、空容器（ペットボトル）の減容化回収によって一次処理を容易にし、搬送コストの低減を図るペットボトルの減容回収方法とその装置を提供する。【解決手段】吸引ポンプに繋がる吸引口に空の容器の口部を押し当てながら推力を加えると、前記吸引ポンプが作動して被処理容器内を負圧にして圧縮塑性変形させ、推力を解除して減容された容器をそのままで収集し、回収できるようにする。そのために、支持構造体の上部に開口して吸引口１０が設けられ、その吸引口１０と支持構造体内に設置の吸引ポンプ２７とを繋ぐ吸引経路の途中に気液分離チャンバ２５が設けられ、吸引口１０に空容器の口部を押し当てるとスイッチ手段が作動して吸引ポンプと電磁弁が作動され、空容器が吸引圧縮されて放すと駆動が停止する構成とされている。【選択図】          図２
2004249530.tif 000002
【特許請求の範囲】
【請求項１】
吸引ポンプに繋がる吸引口に空の容器の口部を押し当てながら推力を加えると、前記吸引ポンプが作動して被処理容器内を負圧にして圧縮塑性変形させ、推力を解除して減容された容器をそのまま収集部に受入れて回収することを特徴とするペットボトルの減容回収方法。
【請求項２】
支持構造体の上部に開口して吸引口が設けられ、その吸引口と支持構造体内に設置の吸引ポンプとを繋ぐ吸引経路の途中に気液分離チャンバが設けられていることを特徴とするペットボトルの減容回収装置。
【請求項３】
前記吸引口は、
ａ）被処理容器の口部をあてがうとその容器内部と外部とを遮断できる形状のシール部と吸い込み開口部を備える受け口と、この受け口を前記支持構造体に上下動可能に装着する取付座部とでなる吸引構造部材、
ｂ）前記吸引構造部材を上下方向にのみ可動なように前記支持構造体に取付けて、常時前記取付座部を支持構造体の上部構成部材内面に押し当てて保持させる推力付勢部材と取付部材とでなる吸引構造部材の装着手段、
ｃ）前記吸引構造部材が押し下げられると前記吸引ポンプを起動させ、前記吸引構造部材が推力付勢部材によって押し戻されると前記吸引ポンプの駆動を停止させる、スイッチ手段
とで構成されている請求項２に記載のペットボトルの減容回収装置。
【請求項４】
吸引口と吸引ポンプとの吸引経路の途中に設けられる気液分離チャンバのドレーン排出口に繋がる管路には、電磁弁が設けられて、その電磁弁を前記吸引ポンプの作動時にのみ閉弁するように前記スイッチ手段と電気的に関連付けられる制御手段を備えている請求項２または３に記載のペットボトルの減容回収装置。
【発明の詳細な説明】
【０００１】
【発明の属する技術分野】
本発明は、主として飲料容器として汎用されているペットボトルの回収手段にかかるものであって、詳しくはリサイクルのために容器を回収する受け入れボックスに空の容器を投入する際、その容器の容積を縮小して回収時の嵩を低く（減容）して回収効率を高めることができるペットボトルの減容回収方法とその装置関するものである。
【０００２】
【従来の技術】
近時、例えば飲料容器としての利便性が高いプラスチック製容器が汎用されているが、通常衛生上の観点からガラス瓶のように回収再使用が行われず、その使用済み容器（空き容器）は廃却されている。ところが、この空き容器は嵩張ることとゴミとして処分するには多くの問題点がある。そのために、資源の再利用と環境の保全を目的としてプラスチック製飲料容器を回収して再資源化することが法制化され（容器包装リサイクル法）、特に再資源化することが比較的容易な体制となっているペットボトル（ポリエチレン・テレフタレート製容器、略してＰＥＴボトル）について自治体などが分別回収を実施している。
【０００３】
このようなペットボトルの分別回収に際しては、所要寸法の設置型ボックスの上部に投入口を備えて、内部に投入された空の飲料容器を受入れて回収処理が容易なように袋を開口させて配置するような構造のものが使用されている。そして、このような回収ボックスは、集客力のある店舗（スーパーマーケットやコンビニエンストアなど）の軒先などに配置されて、消費者が買い物を行うついでに空容器を持参してボックス内に投入し、これを回収して集積場に運んで纏めて処理できるようにされている。
【０００４】
ところが、ペットボトルのように飲料容器は、新品の時点で飲料を充填して市場に供給するに際して、内容物を確実に供給できるよう頑丈に形成されている。そのために、空容器となっても簡単に潰れないで原形を維持しているので、その空容器をそのまま回収ボックスに投入されると、嵩張ることから収集量が限られて多くの空容器が集まるとボックス内に収容できなくなって、溢れて外部に放置されることになり、環境衛生上不都合である。
【０００５】
このようなことから、回収されるペットボトルを嵩張らないようにして回収する、いわゆる減容化すること、あるいは回収する際にその空容器を細かく砕いて回収するというような提案がなされている。例えば特許文献１によれば、ペットボトルを処理装置内において複数の回転刃を積層してなる二組の回転ドラムを噛み合わせて回転させ、これに空容器を押し当てて裁断することにより細かく破砕するような装置が提案されている。また、ペットボトルの口部に弁付き補助具を押し当てて、真空吸引ポンプに繋がる器具で容器内の空気を吸引して、減容化するボトルの圧縮処理方法が提案されている（特許文献２）。あるいは、ペットボトルを上下から刃物を備えた盤で挟み付けて押し潰すと同時に多数の切り目を付けて減容化する装置もしくは回転する刃物でボトルを切断する装置が知られている（例えば特許文献３）。そのほかに、二本の駆動されるローラ間に空容器を挟み込んで偏平に圧縮変形させる機能を組み込んだものがある。
【０００６】
【特許文献１】
特開平１０−５８４４９号公報
【特許文献２】
特開平１０−３２９１３８号公報
【特許文献３】
特開平１０−４４１５０号公報
【０００７】
【発明が解決しようとする課題】
しかしながら、前記特許文献１に開示される処理装置では、動力を用いてペットボトルを裁断減容化するものであるので、もっとも回収容積を小さくできて搬送効率は格段に向上するが、空ボトルを一個ずつ処理するのにその都度機械を運転することになるので、店舗の軒先などに配置して回収するものとしては不適当である。すなわち、一般不特定の消費者が持参した空容器を回収処理装置に投入して処理することは一見簡単なようであるが面倒であり、善意に基づく回収であるとしても、正しくペットボトルの処理を行うとは限らず、万一異なるものを投入されると回転刃の部分で破損などを発生する恐れがある。そのほかに、誤って手を挿入すると不測の事態を招くというような危険性があり、どうしても専用者による処理に任せることになって、公共的に取扱うには問題がある。
【０００８】
また、特許文献２による減容化手段は、空ボトル一個ずつに弁付き補助具（実質的に簡単な蓋）をあてがって、真空吸引ポンプに繋がる吸引部材によって容器内の空気を吸引させて減容化する方法であり、減容化された状態を弁付き補助具によって維持させようとするものであるから、空容器一個につき一個の補助具を用意しなければならず、その分コストアップになる。また、その吸引操作を行うことについては何等の言及もなく、開示技術の範囲ではフリーの状態において処理するものと解され、これまたその減容化について専用の作業者が必要になるので、公共的なものとはなり難い。
【０００９】
また、前記特許文献３により知られる処理装置では、空容器を一個ずつ装置の位置決め台上に置いてから裁断刃を備えて盤を押付けて挟み付けながら裁断減容する装置であり、公共の回収装置に適用するには処理に手数が掛かり不便である。また、ローラによって空容器を挟み付けて押し潰す方式では、その操作に要する動力源が大きくなり、しかも意外と初期の変形動作が円滑に行われず滑りが生じ、押し潰し操作に手間がかかるということと、回収装置として嵩張る構造になり、さらに、回転するローラによって誤って引き込まれる危険性がある、など多くの問題点がある。もちろん、価格も高価になって簡単に店舗の軒先に配置して公共の廃品回収を行う装置としては設置者の負担が大であるという問題点もある。
【００１０】
本発明は、前述のような問題点に鑑みてなされたもので、容器回収部の投入部に隣接して配置する減容手段に空容器の口部をあてがうと自動的に吸引力でもって容器を収縮減容でき、収縮された状態のものを回収ボックス内に投入するようにして空容器（ペットボトル）の減容化回収が図れるペットボトルの減容回収方法とその装置を提供することを目的とするものである。
【００１１】
【課題を解決するための手段および作用・効果】
前述された目的を達成するために、本発明によるペットボトルの減容回収方法は、
吸引ポンプに繋がる吸引口に空の容器の口部を押し当てながら推力を加えると、前記吸引ポンプが作動して被処理容器内を負圧にして圧縮塑性変形させ、推力を解除して減容された容器をそのまま収集部に受入れて回収することを特徴とするものである。
【００１２】
本発明によれば、定置された吸引ポンプと繋がる吸引口に処理しようとする空容器の口部を押付けると、吸引ポンプが作動してその容器内の空気を吸引排除することにより負圧力で容器が圧縮変形される。所要時間負圧力を付勢させると容器の胴部が偏平に塑性変形されて原形のほぼ１／２以下に減容されるとともに、吸引口から離すと復元することなく処理容器が嵩低くなるので、これを容器回収箱などに投入して収集すれば、減容によって搬送効率を高めることができるのである。なお、前記吸引ポンプは吸引口に作用する推力が除かれると駆動を停止するようにすることで、省エネルギー化することができる。また、吸引口のみが外部に開口するようにしたことで、一般消費者が処理するに際しての安全性を確保できるという利点がある。
【００１３】
また、前記発明によるペットボトルの減容回収方法を実施できるペットボトルの回収装置は、
支持構造体の上部に開口して吸引口が設けられ、その吸引口と支持構造体内に設置の吸引ポンプとを繋ぐ吸引経路の途中に気液分離チャンバが設けられていることを特徴とするものである。
【００１４】
本発明においては、支持構造体（例えば箱型回収容器）の上部に開口して、その支持構造体内に設けられた吸引ポンプと繋がる吸引口を配置して、その吸引口に処理する空容器のキャップを外した口部をあてがうと、吸引ポンプの作動によって空容器の内部から排気され、負圧になることで容器胴部が圧縮されて塑性変形し、減容される。したがって、この発明によれば、消費者が処理する操作も簡単で、減容された被処理物を支持構造体（箱型回収容器）に設けられた投入口から内部に投入することで、減容された分多くの空容器を収集できることになる。しかも、空容器が吸引操作で減容される際、万一その被処理容器内に飲料などの液体が残留していても、吸引経路に気液分離チャンバを設けたことにより、減容された被処理容器内からの液体を支持構造体内にこぼすことなく処理することができ、衛生的に回収作業が行えるという効果が得られる。また、構造的にも簡単で消費動力も少なくて、安価に提供できるという効果を奏する。
【００１５】
前記発明において、前記吸引口は、
ａ）被処理容器の口部をあてがうとその容器内部と外部とを遮断できる形状のシール部と吸い込み開口部を備える受け口と、この受け口を前記支持構造体の上部に上下動可能に装着する取付座部とでなる吸引構造部材、
ｂ）前記吸引構造部材を上下方向にのみ可動なように前記支持構造体に取付けて、常時前記取付座部を支持構造体の上部構成部材内面に押し当てて保持させる推力付勢部材と取付部材とでなる吸引構造部材の装着手段、
ｃ）前記吸引構造部材が押し下げられると前記吸引ポンプを起動させ、前記吸引構造部材が推力付勢部材によって押し戻されると前記吸引ポンプの駆動を停止させる、スイッチ手段
とで構成されているのがよい。
【００１６】
このように構成することで、被処理容器のキャップを外して口部を吸引口（受け口）にあてがうと、その吸引口を構成する吸引構造部材の受け口のシール機能によって被処理容器の内部が外部と遮断される。同時に被処理容器の口部を受け口に押し当てる操作力で、吸引構造部材の装着手段における推力付勢部材の推力に抗して吸引構造部材が押し下げられる。すると、その吸引構造部材が下がることにより、その下部に位置するスイッチ手段が操作されて吸引ポンプが作動して受け口に開口する吸引孔から被処理容器内の空気が吸引排気され、負圧になったその被処理容器の胴部が圧縮されて偏平状態に塑性変形されて減容化することができる。偏平にされた被処理容器を吸引口（受け口）から外すと、推力付勢部材による推力で吸引構造部材が押し戻されることにより、スイッチ手段が戻されて吸引ポンプの駆動を停止させる。要するに、被処理容器の減容処理の間だけ吸引ポンプを作動させる機能が付加されて、無駄なエネルギーを消費しないという効果を具備している。
【００１７】
前記発明において、吸引口と吸引ポンプとの吸引経路の途中に設けられる気液分離チャンバのドレーン排出口に繋がる管路には、電磁弁が設けられて、その電磁弁を前記吸引ポンプの作動時にのみ閉弁するように前記スイッチ手段と電気的に関連付けられる制御手段を備えているのがよい。こうすると、被処理容器を吸引操作によって圧縮減容されるときには、電磁弁が連動してドレーン管路を閉じることにより気液分離チャンバが機能して吸引ポンプに液が誘引されるのを防止でき、吸引操作を行わない状態では電磁弁の作動を停止させてドレーン管路を開いておくことにより気液分離チャンバ内に液が滞留しないようにすることができる。したがって、吸引操作（容器の減容）の都度気液分離チャンバが空にされるので、その分離チャンバの容積を適正量に設定しておけば、誤って液体が残留した被処理容器を処理した場合でも、次回の処理操作までに収容された液が排出されて支障を来すことがない。
【００１８】
【発明の実施の形態】
次に、本発明によるペットボトルの減容回収方法とその装置の具体的な実施の形態に基づいて、図面を参照しつつ説明する。
【００１９】
図１には本発明にかかるペットボトルの減容回収装置の全体斜面図が示され、図２には本実施形態の減容回収装置を模式的に表わす概要図が、図３には吸引口の断面図が、図４には吸引操作部時の態様を表わす図（ａ）と偏平に圧縮されたボトルの斜視図（ｂ）が、それぞれ示されている。
【００２０】
本実施形態のペットボトルの減容回収装置１は、所要容積に形成される箱型をした回収容器２（本発明の支持構造体に対応する）の上面に片寄せて上向きに開口する吸引口１０と、この吸引口１０に下部から繋がる吸引配管（本発明の吸引経路に相当）途中の気液分離チャンバ２５を介して接続される吸引ポンプ２７と、吸引操作を制御する制御手段とで構成されている。
【００２１】
前記回収容器２は、所要寸法の箱型に形成されて、前面に片開きの扉３が設けられ、内部を仕切って形成される上部空間部４に後述するペットボトルＢの減容処理機器が配置され、上面の片方に寄せてペットボトルＢを吸引減容するための吸引口１０が上向きに開口して配置されている。また、上部の後方部分５を高くして、その前面位置に減容処理されたペットボトルの投入口６が設けられている。前記上部空間部４を仕切る支持棚７から下側の空間部には収集された減容化済みのボトルを収容して回収処理が容易なようにする受箱８が出し入れ自在なように配置される。なお、前記上部の投入口６は、回収容器２の内部で前記減容処理機器が配置されている上部空間部４の背後を通って前記受箱８内へ投入された処理済みのボトルが落下収集できるようにされている。
【００２２】
前記吸引口１０は、被処理容器Ｂ（以下、ペットボトルＢという）の口部ｂが受入れられる口径の挿入穴１２’が形成された受け口１２と箱型の回収容器２における上部構成部材２ａの下面に上下動可能に取付けられる取付座１３とが一体に弾性材（例えばゴム質の材料）で成形されてなる吸引構成部材１１と、この吸引構成部材１１を取付座１３部分で複数の支持ボルト１４により上下動可能に支持して、常時その取付座１３を前記上面構成部材２ａの下面に押付けるように、設けられる中間板１９上のコイルばね１５（本発明の推力付勢手段に対応）とでなる装着手段１８とで、構成されている。
【００２３】
前記吸引構成部材１１の受け口１２は、挿入穴１２’が前述のようにペットボトルＢの口部ｂを上方から受入れて、そのボトル口部ｂの端縁が当接する部分を内底部に向って広がるテーパ面１２”に形成され、中央に吸引孔１２ａが軸線方向に貫通してその内部に吸引配管接続金具１６が装着されている。また、取付座１３は、その受け口１２の底部周囲に所要直径で板状に形成され、底面全体に金属製の支持板１７が積層されている。
【００２４】
また、吸引構成部材１１の装着手段１８は、回収容器２の上部構成部材２ａから前記複数の支持ボルト１４を対応する位置に設けられた取付ねじ穴１９ａに螺合させて吊下げ支持される中間板１９と、その中間板１９上面に、その各支持ボルト１４の取付ねじ孔１９ａの周りで同心円で取付けられた支持筒１９’に被嵌して上端を前記支持板１７に押付けるコイルばね１５とでなり、常時吸引構成部材１１の取付座１３上面を上部構成部材２ａの下面に押付けて平衡保持できるようにされている。
【００２５】
このようにされる吸引口１０の前記中間板１９には、その中央軸線からやや離れた位置でプッシュ式のリミットスイッチ２０（本発明のスイッチ手段に対応）が縦軸方向に取付金具２２で取付けられ、その作動部２１が前記吸引構成部材１１下面の支持板１７と接して押し下げられると作動するように関係付けられて設けられている。
【００２６】
一方、前記吸引口１０の下方には、気液分離チャンバ２５が回収容器２内に設けられる支持棚７上に配置され、その気液分離チャンバ２５の上面板２５ａに前記吸引口１０の吸引構成部材１１における受け口１２に取り付く接続金具１６から垂下された吸引管２４の下端が接続されている。その気液分離チャンバ２５は、所要の容積を有する密閉箱体で、上面板２５ａに前記吸引管２４の下端との接続口２５ｂと、吸引ポンプ２７に繋がる吸引排気管２８に接続される排気口２５ｃとが設けられ、底部にはドレーン排出口２５ｄが設けられている。また、前記排気口２５ｃには適宜長さの吸気管２６が取付けられて、吸引操作時に吸引管２４の接続口２５ｂと短絡するのを防止できるようにされている。なお、この気液分離チャンバ２５の容積としては、取扱われるペットボトルＢの一本分の容量が受入れられて処理できるものであるのが好ましい。なお、排水管路２９はその終末をホースなどで排水溝に落して排水できるようにされる。
【００２７】
一方、前記気液分離チャンバ２５の底部におけるドレーン排出口２５ｄからの排水管路２９には、途中に電磁バルブ３０が設けられている。この電磁バルブ３０は、前記吸引口１０における中間板１９に付設されるリミットスイッチ２０の制御回路に関連させて、そのリミットスイッチ２０がＯＮになると弁を閉じ（閉弁）、リミットスイッチ２０がＯＦＦになると弁が開く（開弁）するように、コントロールボックス３５内に設けられる制御回路（本発明の制御手段に対応）でもって制御されるようになっている。また、前記リミットスイッチ２０のＯＮ・ＯＦＦに連動して吸引ポンプ２７も作動するようになされている。なお、図中符号３６は、電源スイッチである。
【００２８】
前記回収容器２においては、前述の吸入口１０が図３に示される状態のまま容器上面に露出する構造では外観的に好ましくないので、たとえばその回収容器２の上面部と吸入口１０が取付けられる上部構成部材２ａとは別体にして、言換えると前記上部構成部材２ａを覆うように別の上面板部材を配して、かつその上面板部材における吸入口１０対応個所を、図３上に二点鎖線Ａで一部を表わすようにペットボトルＢが装入し易い形状、例えばじょうご状の凹み部Ａ’を形成して、その底部が前記受け口１２の挿入穴１２’となるようにすれば、処理する人（消費者）の取扱も容易にして、かつ外観的にも美麗に仕上ることができる。ただし、これに限定されるものではない。
【００２９】
このように構成される本実施形態のペットボトルの減容回収装置１は、集客力のある店舗の軒先などに設置して、電源を投入しておけば、消費者が持参したペットボトルＢを、まずキャップを取外した状態にしてその口部ｂを下向き姿勢にして吸入口１０の上向きに開口している受け口１２の挿入穴１２’に差し込むと、その口部ｂが受け口１２の内底部のテーパ面１２”に接触して自動的に位置決めされる。この際、前記受け口１２は弾性材（例えばゴムもしくはゴム質の材料）で形成されているので、あてがわれる口部ｂの端縁がシールされる。そこで、その姿勢を保って押し下げると、そのペットボトルＢを介して加えられる推力で、受け口１２と一体の取付座１３（吸引構成部材１１）の下面に複数個所で付勢されているコイルばね１５による押上げ付勢力に抗して吸引構成部材１１が押し下げられる。こうすると、図４（ａ）によって示されるように、押し下げによる支持板１７の変位で下部位置にあるリミットスイッチ２０の作動部２１が支持板１７と接して押し下げられ、スイッチオンの状態になる。すると、その作動信号がコントロールボックス３５に入力されて吸引ポンプ２７と電磁弁３０が作動される。吸引ポンプ２７が起動すると吸引排気管２８を通じて気液分離チャンバ２５内の空気が排出されて負圧状態になる。なお、吸引ポンプ２７の起動と同時に電磁弁３０もそのコイルが励磁されて閉弁するので、ドレーンの排水管路２９が閉じられるので、気液分離チャンバ２５内は急速に負圧になる。
【００３０】
したがって、気液分離チャンバ２５と直結される受け口１２にあてがわれているペットボトルＢの内部も直ちに吸引され、その内部が負圧となる。すると、外気（大気圧）とペットボトルＢ内部との圧力差によって、そのペットボトルＢは全体的に大きな外力を受けてほぼ瞬時にして図４（ｂ）に示されるように、偏平な状態に圧縮変形される。この圧縮変形は、ボトルとして構造上最も弱い胴部Ｂａが内側に引き寄せられて偏平な状態にされる。したがって、底部Ｂｃ並びに口部ｂ（首部）から肩部は形状的に頑丈にされているので、原型を留めるが、全体としての容積は少なくとも半分以下に減容されることになる。また、急激に圧縮変形されることになるので、その凹んだ形状で塑性変形され、簡単に復元しないので、減容効果はそのまま維持できる。
【００３１】
こうして、ペットボトルが減容化されたならば、受け口１２にあてがっていた状態から離すことにより、吸引構造部材１１がそれまで押し下げられていたコイルばね１５の復元力で元の位置に押し戻される。その結果、リミットスイッチ２０は作動部２１が復帰することによりスイッチオフとなり、吸引ポンプ２７の作動が停止すると同時に電磁弁も閉弁から開放に移行され、気液分離チャンバ２５内は大気圧に戻される。したがって、吸引口１０（受け口１２）における吸引動作は直ちに停止する。また、気液分離チャンバ２５内に溜まっていたドレーンはドレーン排出口２５ｄから排水管路２９を通じて外部に排出され、チャンバ内にドレーン（ボトル内の残留液）はこの一回の圧縮操作ごとに外部に排出されて残ることはない。
【００３２】
こうして減容処理（圧縮変形）された処理済ペットボトルは、回収容器２の前面上部に設けられる投入口６から投入すると内部に配置されている受箱８内に受入れられて収集される。したがって、その受箱８が充満する状態になれば、纏めて処理場への回収に委託する。なお、処理済みのボトルは、胴部が偏平であるので、付着されていたラベルが浮き上がり取外しが容易になるので、これを取外して別途容器に回収する方式をとれば、より資源の再生が合理化される（ラベルはペットボトルと異なる材料で作られているので、分別効果が一層高められる）。
【００３３】
このように、本実施形態のペットボトル回収装置１は、廃棄されるペットボトルを設置された吸引手段によって、開口させたボトルを手で持って吸引口に押し当てることにより、吸引ポンプを自動的に起動させて吸引操作を行わせ、ほぼ瞬時に偏平な状態に圧縮変形させることができる方式であるので、至極簡単に減容処理することができ、これを回収容器内に収集しても従来のように嵩張るのを抑制することができることになって、収集量を増加できる。その結果、回収個所での減容によって、搬送効率を高めることができ、輸送コストの削減を図ることができる。また、このように簡単な操作でペットボトルが圧縮減容化できることは、主に自治体などが委託して店舗などに設置を求める場合が多くても、回収される廃棄ボトルが回収箱の周りに散逸するようなことを防止でき、併せて減容処理時に残液を吸引分離させることで、圧縮された処理物内に液が残留したりして二次での処理に障害を来すことが防止でき、衛生上効果的である。したがって、公共性の高い回収装置とすることができる。
【００３４】
さらに、本発明によれば、前述のように減容処理に際しては、ペットボトルを圧縮操作するときに吸引ポンプを作動するのに動力を使用するが、それ以外のときには停止状態にして無駄なエネルギーを消費しないので、運転維持費も少なくできる。そのほかに、一般消費者が直接取扱って危険性のない構成とされているので、専用者によることなく処理できるという利点もある。
【００３５】
以上の説明においては、吸引口とそれに繋がる吸引ポンプならびに気液分離チャンバとその付属機器が処理済のボトルを収集する回収容器（回収ボックス）と一体型のものについて記載したが、必要に応じて吸引圧縮操作を行う機構部を回収容器（回収ボックス）と分離して独立した回収処理装置とすることができる。こうすれば、機械部分を別設して使用する設備とすることができる。このような構成についても、本発明の技術的範囲に属することは言うまでもない。
【００３６】
また、前記吸引口に関して、その受け口における挿入穴のペットボトル口部が押付けられる部分の別途ゴム質のリングを配設してシール機能を発揮させる構成とすることもできる。このようにすれば、吸引構成部材の主体を金属またはプラスチック製としてシール部分のみを弾性体で形成することができる。さらに、スイッチ手段としては、前述のようなリミットスイッチ２０の代わりにフォトセンサなどを使用して支持板１７の上下位置変位を検出して吸引ポンプ２７と電磁弁３０の作動（閉弁）・停止（開弁）の操作を行わせるようにすることができる。
【図面の簡単な説明】
【図１】図１は、本発明にかかるペットボトルの減容回収装置の全体斜面図である。
【図２】図２は、本実施形態の減容回収装置を模式的に表わす概要図である。
【図３】図３は、吸引口の断面図である。
【図４】図４は、吸引操作部時の態様を表わす図（ａ）と偏平に圧縮されたボトルの斜視図（ｂ）である。
【符号の説明】
１                    ペットボトルの減容回収装置
２                    回収容器
４                    上部空間部
６                    投入口
７                    支持棚
８                    受箱
１０                  吸引口
１１                  吸引構成部材
１２                  受け口
１２’                挿入穴
１２”                テーパ面
１３                  取付座
１４                  支持ボルト
１５                  コイルばね
１７                  支持板
１９                  中間板
２０                  リミットスイッチ
２１                  作動部
２４                  吸引管
２５                  気液分離チャンバ
２７                  吸引ポンプ
２８                  吸引排気管
２９                  排水管路
３０                  電磁弁
３５                  コントローラボックス
Ｂ                    ペットボトル
ｂ                    ペットボトルの口部
【図１】
2004249530.tif 000003
【図２】
2004249530.tif 000004
【図３】
2004249530.tif 000005
【図４】
2004249530.tif 000006